(57)【要約】【課題】  コレート印刷時には印刷制御装置から印刷装置へ同様の印刷データが繰り返し送信される印刷システムにおいて、そのコレート印刷のキャンセルを容易にすること。【解決手段】  コレート印刷でない場合は（Ａ）、印刷データにジョブ番号とＰＣアドレスとをヘッダとして添付した印刷ジョブがパソコンからプリンタへ送信されるが、コレート印刷の場合は（Ｂ）、共通のジョブ番号と１部毎に変化する通し番号とＰＣアドレスとをヘッダとして添付した印刷ジョブが、パソコンからプリンタへ部数分繰り返して送信される。プリンタでは、共通のジョブ番号に対しては共通の識別番号を割り振ってパソコンに通知するため、その共通の識別番号を指定することによって、コレート印刷時に繰り返し送信された各印刷ジョブのデータを一括して削除することができる。【選択図】図４
2008197800.tif 000002
【特許請求の範囲】
【請求項１】
印刷データを送信する印刷制御装置と、該印刷制御装置から送信された印刷データに基づいて印刷を実行する印刷装置と、を備えた印刷システムであって、
上記印刷制御装置は、
コレートモードの設定時に、印刷データを部数単位順に上記印刷装置に送信可能な印刷データ送信手段と、
上記印刷装置から受付符号を受信した場合に、使用者にその受付符号を通知する受付符号通知手段と、
を備え、
上記印刷装置は、
上記印刷データ送信手段から送信された印刷データに基づいて印刷を実行する印刷手段と、
上記印刷データ送信手段から送信された印刷データに、その印刷データの管理単位であるジョブ毎に受付符号を付与し、上記コレートモードの設定時に部数単位順に送信された各印刷データに対しては共通の受付符号を付与する受付符号付与手段と、
該受付符号付与手段に付与された受付符号を上記印刷制御装置に送信する受付符号送信手段と、
上記受付符号が入力されたとき、その受付符号に対応する印刷データを削除する削除手段と、
を備えたことを特徴とする印刷システム。
【請求項２】
上記印刷データ送信手段は、上記コレートモードの設定時に上記印刷データ送信手段が印刷データを部数単位順に上記印刷装置に送信する際、共通のジョブ識別情報と１部毎に変化する通し符号とを各部数毎の印刷データに付与して送信し、
上記受付符号付与手段は、各印刷データに付与された上記ジョブ識別情報及び通し符号に基づいて受付符号を付与することを特徴とする請求項１記載の印刷システム。
【請求項３】
上記受付符号通知手段は、その受付符号通知手段が通知した受付符号を上記印刷装置に入力するための受付符号入力手段を兼ねることを特徴とする請求項１または２記載の印刷システム。
【請求項４】
上位装置から送信された印刷データに基づいて印刷を実行する印刷手段と、
上記上位装置から送信された印刷データに、その印刷データの管理単位であるジョブ毎に受付符号を付与し、その印刷データが部数単位順に複数回繰り返し送信されたものである場合は、各印刷データに対して共通の受付符号を付与する受付符号付与手段と、
該受付符号付与手段に付与された受付符号を上記上位装置に送信する受付符号送信手段と、
上記受付符号が入力されたとき、その受付符号に対応する印刷データを削除する削除手段と、
を備えたことを特徴とする印刷装置。
【発明の詳細な説明】
【技術分野】
【０００１】
本発明は、印刷データを送信する印刷制御装置と、該印刷制御装置から送信された印刷データに基づいて印刷を実行する印刷装置と、を備えた印刷システム、並びに、その印刷システムを構成可能な印刷装置に関する。
【背景技術】
【０００２】
従来より、複数ページ分の画像をプリンタ等の印刷装置にて片面１ページで複数部形成する場合、部数単位順に画像を形成するコレート（ｃｏｌｌａｔｅ）モードと、ページ単位に上記複数部ずつ画像を形成するアンコレート（ｕｎｃｏｌｌａｔｅ）モードとの２種類の方法がある。ところが、複数ページ分の印刷データをパーソナルコンピュータ（以下、パソコンという）等の印刷制御装置から受信したときに、コレート，アンコレートいずれのモードでも画像形成可能なプリンタもあるが、コレートモードを持たないプリンタもある。
【０００３】
そこで、コレートモードを持たないプリンタには、パソコン等から印刷データを送信する際に、印刷データを部数単位順にプリンタに送信することでコレートモードを実行可能にすることが提案されている（例えば、特許文献１参照）。
【０００４】
また、パソコン等の印刷制御装置からプリンタへ印刷データが送信されたときに、その印刷データの管理単位であるジョブ毎に要求受付番号が付与されて使用者に通知され、プリンタではその受付番号の入力をトリガとして印刷を実行することも提案されている（例えば、特許文献２参照）。
【特許文献１】特開２００１−３４１３７５号公報
【特許文献２】特開２００６−８８５１４号公報
【発明の開示】
【発明が解決しようとする課題】
【０００５】
特許文献２記載の技術に更に考察を加えれば、プリンタに上記要求受付番号を入力することによってその要求受付番号に対応するジョブをキャンセルすることも可能であろう。ところが、特許文献１のように、コレート印刷時に同様の印刷データが複数回送信された場合、その複数回送信された各印刷データ毎に要求受付番号が付与されてしまう。そのため、コレート印刷をキャンセルするためには各印刷データに対応する要求受付番号を全て入力する必要が生じる。
【０００６】
そこで、本発明は、コレート印刷時には印刷制御装置から印刷装置へ同様の印刷データが繰り返し送信される印刷システムにおいて、そのコレート印刷のキャンセルを容易にすることを目的としてなされた。
【課題を解決するための手段】
【０００７】
上記目的を達するためになされた本発明の印刷システムは、印刷データを送信する印刷制御装置と、該印刷制御装置から送信された印刷データに基づいて印刷を実行する印刷装置と、を備えた印刷システムであって、上記印刷制御装置は、コレートモードの設定時に、印刷データを部数単位順に上記印刷装置に送信可能な印刷データ送信手段と、上記印刷装置から受付符号を受信した場合に、使用者にその受付符号を通知する受付符号通知手段と、を備え、上記印刷装置は、上記印刷データ送信手段から送信された印刷データに基づいて印刷を実行する印刷手段と、上記印刷データ送信手段から送信された印刷データに、その印刷データの管理単位であるジョブ毎に受付符号を付与し、上記コレートモードの設定時に部数単位順に送信された各印刷データに対しては共通の受付符号を付与する受付符号付与手段と、該受付符号付与手段に付与された受付符号を上記印刷制御装置に送信する受付符号送信手段と、上記受付符号が入力されたとき、その受付符号に対応する印刷データを削除する削除手段と、を備えたことを特徴としている。
【０００８】
このように構成された本発明の印刷システムでは、印刷制御装置の印刷データ送信手段は、コレートモードの設定時に、印刷データを部数単位順に上記印刷装置に送信することができる。このため、印刷装置がコレートモードを備えていなくても、印刷制御装置から印刷データを部数単位順に複数回繰り返し送信することにより、印刷装置の印刷手段によるコレート印刷が可能となる。
【０００９】
また、印刷装置の受付符号付与手段は、上記印刷データ送信手段から送信された印刷データに、その印刷データの管理単位であるジョブ毎に受付符号を付与し、印刷装置の受付符号送信手段は、その受付符号付与手段に付与された受付符号を上記印刷制御装置に送信する。すると、印刷制御装置の受付符号通知手段は、その受付符号を使用者に通知する。そして、印刷装置の削除手段は、上記受付符号が入力されたとき、その受付符号に対応する印刷データを削除する。この削除によって、その印刷データに対して印刷手段による印刷が実行されることはなくなり、当該ジョブがキャンセルされる。
【００１０】
ここで、受付符号付与手段は、上記コレートモードの設定時に部数単位順に送信された各印刷データに対しては共通の受付符号を付与する。このため、上記受付符号送信手段，受付符号通知手段，及び削除手段の動作は、コレートモードに応じて複数回繰り返し送信された上記各印刷データに対して、共通の受付符号を用いて一括してなされる。すなわち、受付符号の付与，送信，通知は、上記コレートモードの各印刷データに対して共通の受付符号によってなされ、その受付符号が入力されると、削除手段は上記コレートモードの各印刷データを全て削除する。従って、本発明では、コレート印刷のキャンセルも、１つの受付符号を入力するだけで容易に実行することができる。
【００１１】
なお、本発明は以下の構成に限定されるものではないが、上記印刷データ送信手段は、上記コレートモードの設定時に上記印刷データ送信手段が印刷データを部数単位順に上記印刷装置に送信する際、共通のジョブ識別情報と１部毎に変化する通し符号とを各部数毎の印刷データに付与して送信し、上記受付符号付与手段は、各印刷データに付与された上記ジョブ識別情報及び通し符号に基づいて受付符号を付与してもよい。
【００１２】
この場合、印刷データ送信手段から上記コレートモードで送信される印刷データには共通のジョブ識別情報が付与される。このため、印刷装置の受付番号付与手段は、印刷データの内容を解析しなくても、同一の印刷制御装置から送信された複数の印刷データがコレート印刷のデータか否かを判断することができ、印刷装置における処理を容易にすることができる。
【００１３】
また、上記受付符号通知手段は、その受付符号通知手段が通知した受付符号を上記印刷装置に入力するための受付符号入力手段を兼ねてもよい。この場合、使用者は受付符号を通知する受付符号通知手段をそのまま使用して当該受付符号に対応するジョブのキャンセルを指示することができ、コレート印刷のキャンセルを指示するのも一層容易になる。
【００１４】
また、本発明の印刷装置は、上位装置から送信された印刷データに基づいて印刷を実行する印刷手段と、上記上位装置から送信された印刷データに、その印刷データの管理単位であるジョブ毎に受付符号を付与し、その印刷データが部数単位順に複数回繰り返し送信されたものである場合は、各印刷データに対して共通の受付符号を付与する受付符号付与手段と、該受付符号付与手段に付与された受付符号を上記上位装置に送信する受付符号送信手段と、上記受付符号が入力されたとき、その受付符号に対応する印刷データを削除する削除手段と、を備えたことを特徴としている。
【００１５】
このため、本発明の印刷装置では、前述の印刷制御装置のように、コレートモードの設定時に、印刷データを部数単位順に上記印刷装置に送信可能な印刷データ送信手段と、上記印刷装置から受付符号を受信した場合に、使用者にその受付符号を通知する受付符号通知手段と、を備えた印刷制御装置を上位装置として印刷システムを構成した場合、上記発明の印刷システムを容易に構成することができる。そして、このような印刷システムを構成した場合、上記発明の印刷システムと同様に、コレート印刷のキャンセルも、１つの受付符号を入力するだけで容易に実行することができる。
【発明を実施するための最良の形態】
【００１６】
［実施の形態の全体構成］
次に、本発明の実施の形態を、図面を参照して説明する。図１は、本発明が適用された印刷システムの構成を表す外観図である。図１に示すように、本実施の形態の印刷システムは、印刷装置の一例としてのカラーレーザプリンタ（以下、単にプリンタという）１と、そのプリンタ１にＬＡＮ，インターネット等のネットワークＷを介して接続された印刷制御装置の一例としてのパーソナルコンピュータ（以下、単にパソコンという）３００とから構成されている。
【００１７】
プリンタ１は、イエロー，マゼンタ，シアン，及びブラックのトナーにて電子写真方式によって画像を形成する周知のプリンタエンジン２（図２参照）を内部に備え、このプリンタエンジン２は、収容トレイ３に収容された被記録媒体の一例としての用紙（図示省略）に、１枚ずつ画像を形成してスタッカ４へ排出する。また、プリンタ１の表面には、ディスプレイ５ａ及び各種ボタンを備え、各種設定や指示を行うための操作パネル５が設けられている。更に、パソコン３００には、携帯電話等の携帯端末７００も電話回線を介して接続されている。
【００１８】
図２は、この印刷システムにおける制御系の構成を表すブロック図である。図２に示すように、パソコン３００のパソコン本体３１０は、ＣＰＵ３１１、ＲＯＭ３１２、ＲＡＭ３１３、及び、ハードディスク装置（ＨＤＤ）３１４を備えている。そして、このパソコン本体３１０には、ＣＲＴ等のディスプレイ３２０、キーボード３３０、マウス３４０が接続されている（いずれも図１参照）。更に、パソコン本体３１０には、前述のネットワークＷや電話回線と接続するためのネットワークポートインタフェース（ネットワークポートＩ／Ｆ）３５０も接続されている。
【００１９】
プリンタ１には、前述のプリンタエンジン２等を制御する制御部１０が設けられ、この制御部１０は、ＣＰＵ１０Ａ，ＲＯＭ１０Ｂ，ＲＡＭ１０Ｃを備えたマイクロコンピュータとして構成されている。また、制御部１０は、電源スイッチが切られても記憶内容が消えないようにされたＮＶＲＡＭ１０Ｄも備えている。更に、この制御部１０には、前述のプリンタエンジン２，操作パネル５の他、ネットワークＷを介してパソコン３００と接続するためのネットワークポートインタフェース（ネットワークポートＩ／Ｆ）１１などが接続されている。
【００２０】
［実施の形態における制御］
次に、この制御系で実行される処理について説明する。図３は、パソコン３００のＣＰＵ３１１が、ハードディスク装置３１４に記憶されたプログラムに基いて実行する印刷データ送信手段の一例としての印刷ジョブ作成処理を表すフローチャートである。
【００２１】
パソコン３００において各種アプリケーションで印刷対象としての画像が作成され、印刷のためにプリンタドライバがコールされると、用紙サイズ，印刷範囲，コレート印刷等の指定が可能に構成された一般的なＵＩ（ユーザインタフェース）が表示される。本処理は、そのＵＩ上で「ＯＫ」（印刷実行）が指示されると開始される。
【００２２】
図３に示すように、この処理では、先ず、Ｓ１（Ｓはステップを表す：以下同様）にて、上記ＵＩの設定に基づき、コレート印刷が指示されているか否かが判断される。コレート印刷が指示されていない場合は（Ｓ１：Ｎ）、Ｓ２にて通常通りに印刷ジョブが作成され、Ｓ３にて、その印刷ジョブがネットワークＷを介してプリンタ１へ送信されて、処理が終了する。
【００２３】
この場合、Ｓ２の処理では、上記画像に対応する印刷データ（複数ページに亘る場合もある）がプリンタ１へ送信可能な形態に作成されると共に、その印刷データに対して設定されたジョブ識別情報の一例としてのジョブ番号（数字以外の文字を含んでもよい）がヘッダとして添付される。Ｓ３の処理では、更に、図４（Ａ）に例示するように、パソコン３００をネットワークＷ上で特定するためのアドレス（以下、ＰＣアドレスという）がヘッダとして添付された上で、データ（印刷ジョブ）が送信される。
【００２４】
一方、コレート印刷が指示されている場合は（Ｓ１：Ｙ）、処理はＳ５へ移行し、通常通りに、上記ジョブ番号及び印刷データ（複数ページに亘る場合もある）からなる印刷ジョブが作成され、続くＳ６にて、ヘッダに通し符号の一例としての通し番号が付加される。なお、通し番号は、初期値が１で、１部処理がなされる毎に１，２，３，…と１ずつ増加する番号である。続くＳ７では、更にヘッダにＰＣアドレスが添付された上でその印刷ジョブがプリンタ１へ送信される。更に続くＳ８では、コレート印刷に設定された部数分の印刷ジョブの送信が終了したか否かが判断され、まだの場合は（Ｓ８：Ｎ）、処理は前述のＳ５へ移行する。こうして、Ｓ５〜Ｓ７の処理が繰り返し実行され、印刷ジョブが部数単位順に上記部数に応じた回数だけ繰り返し送信されると（Ｓ８：Ｙ）、処理が終了する。
【００２５】
この場合、図４（Ｂ）に例示するように、上記画像に対応する印刷データにはジョブ番号と通し番号とＰＣアドレスとが添付され、その一連のデータ（印刷ジョブ）が上記部数に応じた回数だけ（図４（Ｂ）の例では３回）繰り返し送信される。このため、プリンタ１がコレートモードを備えていなくても、コレート印刷が可能となる。
【００２６】
次に、図５は、制御部１０のＣＰＵ１０ＡがＲＯＭ１０Ｂに記憶されたプログラムに基づいて実行する印刷ジョブ受付処理を表すフローチャートである。なお、ＣＰＵ１０Ａは、パソコン３００から上記印刷ジョブを受信したときにこの処理を開始する。
【００２７】
図５に示すように、この処理では、先ず、Ｓ１１にて、上記受信された印刷ジョブに通し番号があり、かつ２以上であるか否かが判断される。前述のように、コレート印刷でない場合は通し番号がなく（図４（Ａ）参照）、コレート印刷であっても１部目であれば、通し番号は１である。そこで、これらの場合は（Ｓ１１：Ｎ）、処理は受付符号付与手段の一例としてのＳ１２へ移行し、当該受信された印刷ジョブに受付符号の一例としての識別番号が割り振られる。
【００２８】
なお、識別番号は００〜９９の２桁の数字で、プリンタ１の新規購入時には００から順に割り振られる。また、００〜９９の識別番号がそれぞれ１回使用された後は、後述のＳ２６の処理によりその識別番号が再度使用可能となった時点が古い順に割り振られる。続く受付符号送信手段の一例としてのＳ１３では、上記印刷ジョブにヘッダとして添付されたＰＣアドレスに基づき、パソコン３００にネットワークＷを介してその受付番号が送信されて、処理が終了する。
【００２９】
すると、パソコン３００では、ディスプレイ３２０に、図６（Ａ）に例示するような受付符号通知手段及び受付符号入力手段の一例としてのＵＩ４００が表示される。図６（Ａ）のＵＩ４００は、図３の処理によって送信された印刷ジョブに識別番号「１０」が割り振られたことを示している。更に、ＵＩ４００は、当該ＵＩ４００を閉じるためのボタン４０１と、その識別番号「１０」が割り振られた印刷ジョブをキャンセルするためのボタン４０２とを備えている。
【００３０】
図５に戻って、一方、印刷ジョブに通し番号があり、かつ２以上の場合は（Ｓ１１：Ｙ）、処理はそのまま終了する。すなわち、本実施の形態では、コレート印刷の場合、２部目以降には１部目と同じ識別番号が割り振られ、パソコン３００への通知も改めてなされない。
【００３１】
また、以上説明した図５の処理により、プリンタ１のＲＡＭ１０Ｃには図７に例示するようなテーブルが作成される。図７に例示するように、このテーブルは、上記ジョブ番号及び通し番号と、上記識別番号と、各ジョブ番号及び通し番号がヘッダとして添付された印刷データのＲＡＭ１０Ｃ内の記憶エリアとが互いに対応付けて記憶されている。また、図７の例では、コレート印刷が指示された印刷ジョブ「ｊｏｂＡ」には、共通の識別番号「０１」が割り振られ、もう１つの異なる印刷ジョブ「ｊｏｂＢ」には他の識別番号「０２」が割り振られている。なお、「ｊｏｂＢ」はコレート印刷が指示された印刷ジョブではないため、通し番号も付与されていない。
【００３２】
制御部１０のＣＰＵ１０Ａは、上記印刷ジョブ受付処理が終了すると、ＲＯＭ１０Ｂに記憶されたプログラムに基づいて、図８に示す印刷手段の一例としての印刷処理を実行する。この処理では、先ず、Ｓ２１にて、図５の処理で受け付けられた印刷ジョブの印刷データに応じてプリンタエンジン２が駆動されることにより、その印刷データに対応する画像の用紙への印刷が実行される。
【００３３】
なお、このＳ２１の処理の開始時には、ネットワークＷを介してパソコン３００への通知がなされ、その通知に応じてＵＩ４００の表示は図６（Ｂ）に例示するように変化する。すなわち、当該識別番号に対応する印刷ジョブが印刷中である旨のメッセージが表示される。
【００３４】
図８に戻って、Ｓ２１の処理により、１つの印刷ジョブに対する印刷が終了すると、続くＳ２２では、その印刷ジョブに通し番号があるか否かに基づき、コレート印刷であるか否かが判断される。コレート印刷の場合は（Ｓ２２：Ｙ）、関連する全ての印刷ジョブ、すなわち同じジョブ番号を有し通し番号のみが異なる全ての印刷ジョブの印刷が終了したか否かが判断され、まだの場合は（Ｓ２３：Ｎ）、処理は前述のＳ２１へ移行する。こうして、コレート印刷の場合は（Ｓ２２：Ｙ）、Ｓ２１〜Ｓ２３の処理が繰り返し実行されることにより、上記画像が必要部数分だけコレート印刷される。そして、関連する全ての印刷ジョブの印刷が終了すると、処理は続くＳ２５へ移行する。また、コレート印刷でない場合は（Ｓ２２：Ｎ）、Ｓ２１により１つの印刷ジョブを印刷するだけで処理はＳ２５へ移行する。
【００３５】
Ｓ２５では、印刷が完了したことがネットワークＷを介してパソコン３００通知される。すると、パソコン３００のディスプレイ３２０に表示されていたＵＩ４００には、図６（Ｃ）に例示するように、当該識別番号に対応する印刷ジョブの印刷が終了した旨のメッセージが表示され、更に、上記ボタン４０１，４０２は消失してＯＫボタン４０３が表示される。このＯＫボタン４０３がマウス３４０によってクリック（以下、単にクリックという）されると、ＵＩ４００は消失する。
【００３６】
図８に戻って、Ｓ２５に続くＳ２６では、図７に例示したテーブルが当該印刷ジョブに対して初期化され、処理が終了する。すなわち、Ｓ２６の処理では、上記テーブルのデータのうち、当該印刷ジョブのジョブ番号＋通し番号，識別番号，記憶エリアの項目がクリアされ、その印刷ジョブに割り振られていた識別番号が再度使用可能となる。
【００３７】
また、印刷ジョブに対する印刷処理中にパソコン３００が新たな印刷ジョブをプリンタ１に送信した場合は、図６（Ｄ）に例示するように、前述のボタン４０１，４０２が複数段に表示される。図６（Ｄ）の例では、前述の識別番号「１０」に対応する印刷ジョブの印刷中に新たな印刷ジョブが送信され、その印刷ジョブに識別番号「１３」が割り振られた場合を例示している。
【００３８】
次に、印刷ジョブに識別番号が割り振られた後で表示されたＵＩ４００のボタン４０２（図６（Ａ），（Ｂ），（Ｄ）参照）がクリックされると、プリンタ１に送信されている当該印刷ジョブのデータを消去して、印刷をキャンセルすることができる。また、プリンタ１の操作パネル５に設けられたディスプレイ５Ａには、図９に例示するキャンセル用画面を表示することができ、このキャンセル用画面を介しても印刷をキャンセルすることができる。図９に例示するように、このキャンセル用画面は、表示される識別番号を周知の上下キー等によって選択できる識別番号表示部５１と、識別番号表示部５１に表示された識別番号に対応する印刷ジョブをキャンセルするためのＯＫボタン５２とを備えている。また、携帯端末７００にも同様のキャンセル用画面が表示可能で、同様にキャンセルすべき印刷ジョブの識別番号を入力することができる。
【００３９】
次に、このように印刷ジョブのキャンセルが命令された場合のプリンタ１における処理を説明する。図１０は、制御部１０のＣＰＵ１０ＡがＲＯＭ１０Ｂに記憶されたプログラムに基づいて実行するジョブキャンセル処理を表すフローチャートである。なお、この処理は、上記のように印刷ジョブのキャンセルが命令されると開始される。
【００４０】
図１０に示すように、この処理では、先ず、Ｓ３１にて、プリンタ１のＲＡＭ１０Ｃ内にキャンセルの対象となった印刷ジョブのデータが存在するか否かが判断される。データが存在する場合は（Ｓ３１：Ｙ）、処理はＳ３２へ移行してキャンセル対象の印刷ジョブが印刷中であるか否かが判断され、印刷中である場合は（Ｓ３２：Ｙ）、Ｓ３３にて印刷が中止された後、印刷中でない場合はそのまま（Ｓ３２：Ｎ）、処理はＳ３４へ移行する。削除手段の一例としてのＳ３４では、関連する印刷ジョブ、すなわち、指示された識別番号に対応する全ての印刷ジョブのデータが削除される。従って、コレート印刷の場合は、パソコン３００から繰り返し送信されて前述のように同一の識別番号が割り振られた各印刷ジョブのデータが図７に示すテーブルを参照して全て削除される。
【００４１】
続くＳ３５では、本処理のトリガとなったキャンセル命令が操作パネル５によるものか否かが判断される。そして、操作パネル５によるものである場合は（Ｓ３５：Ｙ）、キャンセル処理が完了したことがＳ３６にて操作パネル５に表示された後、操作パネル５によるものでない場合は（Ｓ３５：Ｎ）、キャンセル処理が完了したことが上記キャンセルを命令したパソコン３００または携帯端末７００にＳ３７にて通知された後、処理が終了する。
【００４２】
一方、プリンタ１のＲＡＭ１０Ｃ内にキャンセル対象のデータが存在しない場合は（Ｓ３１：Ｎ）、Ｓ４１にて、本処理のトリガとなったキャンセル命令が操作パネル５によるものか否かが判断される。そして、操作パネル５によるものである場合は（Ｓ４１：Ｙ）、キャンセル処理が不可能であることがＳ４２にて操作パネル５に表示された後、操作パネル５によるものでない場合は（Ｓ４１：Ｎ）、キャンセル処理が不可能であることが上記キャンセルを命令したパソコン３００または携帯端末７００にＳ４３にて通知された後、処理が終了する。
【００４３】
以上のように、本実施の形態では、コレート印刷時にパソコン３００からプリンタ１へ繰り返し送信された印刷ジョブには共通の識別番号が付与されるので、コレート印刷のキャンセルも、１つの識別番号を指示するだけで容易に実行することができる。しかも、上記実施の形態では、識別番号を通知するＵＩ４００をそのまま使用して当該印刷ジョブのキャンセルを命令することができ、操作性が一層向上する。また、上記実施の形態では、コレート印刷時にパソコン３００からプリンタ１へ送信される印刷ジョブには、共通のジョブ番号と１部毎に変化する通し番号とが付与されているので、上記のように処理を極めて簡略化することができる。
【００４４】
なお、本発明は上記実施の形態になんら限定されるものではなく、本発明の要旨を逸脱しない範囲で種々の形態で実施することができる。例えば、上記実施の形態では、ファイル名などからなるジョブ番号をジョブ識別情報として印刷ジョブのヘッダに添付しているが、ジョブＩＤや処理Ｎｏ．をジョブ識別情報として添付してもよい。また、上記実施の形態では、１，２，３，…と変化する通し番号を通し符号として印刷ジョブのヘッダに添付しているが、通し符号は、Ａ，Ｂ，Ｃ，…、イ，ロ，ハ，…等であってもよい。
【００４５】
更に、パソコン３００からキャンセルを命令する場合も、図９と同様のＵＩを表示させてもよい。この場合、識別番号を通知するＵＩなどは一層簡略化することができる。また更に、図６（Ｃ）に例示したＵＩ４００を表示する代わりに、図６（Ａ），（Ｂ），（Ｄ）に例示したＵＩ４００を自動的に閉じることによって印刷完了を通知してもよい。
【図面の簡単な説明】
【００４６】
【図１】本発明が適用された印刷システムの構成を表す外観図である。
【図２】その印刷システムにおける制御系の構成を表すブロック図である。
【図３】その印刷システムのパソコンにおける印刷ジョブ作成処理を表すフローチャートである。
【図４】その処理によって送信される印刷ジョブを例示する説明図である。
【図５】上記印刷システムのプリンタにおける印刷ジョブ受付処理を表すフローチャートである。
【図６】その処理に応じて上記パソコンに表示されるＵＩを例示する説明図である。
【図７】その処理によって作成されるテーブルを例示する説明図である。
【図８】上記プリンタにおける印刷処理を表すフローチャートである。
【図９】上記プリンタの操作パネルに表示されるキャンセル用画面を例示する説明図である。
【図１０】上記プリンタにおけるジョブキャンセル処理を表すフローチャートである。
【符号の説明】
【００４７】
１…プリンタ              ２…プリンタエンジン          ３…収容トレイ
５…操作パネル            ５Ａ…ディスプレイ            １０…制御部
１０Ａ，３１１…ＣＰＵ    １０Ｂ，３１２…ＲＯＭ        １０Ｃ，３１３…ＲＡＭ
５１…識別番号表示部      ５２…ＯＫボタン              ３００…パソコン
３１０…パソコン本体      ３１４…ハードディスク装置    ３２０…ディスプレイ
３３０…キーボード        ３４０…マウス                ４００…ＵＩ
４０１，４０２…ボタン    ７００…携帯端末              Ｗ…ネットワーク
【図１】
2008197800.tif 000003
【図２】
2008197800.tif 000004
【図３】
2008197800.tif 000005
【図４】
2008197800.tif 000006
【図５】
2008197800.tif 000007
【図６】
2008197800.tif 000008
【図７】
2008197800.tif 000009
【図８】
2008197800.tif 000010
【図９】
2008197800.tif 000011
【図１０】
2008197800.tif 000012